(57)【要約】      （修正有）【課題】小型軽量でありながら、収納した物が乱れないようにすると共に、チケット等の薄くて小径の物が一目で解るように収納でき、且つ、大きい（長い）物は底部側に出し入れ可能に収納できるライブ用のバックを提供する。【解決手段】ライブ用のバッグ１は、ショルダーベルト５が着脱可能に取り付けられた収納バッグ本体部２の開口部にファスナー６が取り付けられたバッグであって、上部側の収納部と底部側の収納部とからなる二重底に形成され、上部側の収納部には、透明な樹脂シート又はフィルムで囲われた収納スペースが設けられ、入場券、ドリンクチケットやコイン等を入れておくことによって他の収納物品と混じり合うことがなく、直ぐに見つけ出すことができる。底部側の収納部は、ファスナー８を開閉して収納品を出し入れできるように構成した。【選択図】図１
2019165841.tif 000002
【特許請求の範囲】
【請求項１】
ショルダーベルトが着脱可能に取り付けられた収納バッグ本体部の開口部にファスナーが取り付けられたバッグであって、
前記収納バッグ本体部には、上部側の収納部と底部側の収納部とからなる二重底に形成され、
上部側の収納部には、長さ方向の中央部に仕切りを兼ねた長方形で上縁部にファスナーが取り付けられた袋体が配設されると共に、少なくとも、透明な樹脂シート又はフィルムで囲われた収納スペースが設けられ、
前記底部側の収納部は、短辺側面から底部の略中間位置に至るファスナーを開閉して収納品を出し入れできるように構成したこと
を特徴とするライブ用のバッグ。
【請求項２】
前記収納バッグ本体部の一側面には、デルタ状で幅広の補助部材を備えたウエストベルトが折り畳んで収納できるように設けられていること
を特徴とする請求項１に記載のライブ用のバッグ。
【請求項３】
前記収納バッグ本体部の短辺における一側面には、ペンライトが収納できる一対の筒状収納部が設けられていること
を特徴とする請求項１乃至２に記載のライブ用のバッグ。
【発明の詳細な説明】
【技術分野】
【０００１】
本発明は、ライブ（コンサート）会場、例えば、屋内でも屋外でも、立って見る会場で観客が使用するライブ用のバッグに関するものである。
【背景技術】
【０００２】
この種のライブ会場では、ライブに合わせて、観客がペンライトを翳したり、または、飛んだり跳ねたりの激しく動いたりもするので、携帯電話や財布、ハンカチ、女性であれば化粧品（口紅）等の私物やペンライトを持ち込むため、さらに、ライブ中に喉が渇いて飲み物が欲しくなることから、ペットボトル等を持ち込むために、ライブ用ではないが、小型の肩掛けバッグやリュックサック等が多く使用されている。また、ライブハウスという３０００人程度の収容人数の会場でありますと、入場時に「１ドリンク制」といって、例えば、５００円と引き換えにドリンクチケットやコインを渡されることが多くある。
【０００３】
肩掛けバッグやリュックサックとして、複数のものが公知になっている。その第１の公知技術としては、拡げることにより通常サイズの大きさとなる折り畳みバッグ部と、該折り畳みバッグ部を折り畳んだ状態で収納することができる携帯小型バッグ部とからなり、該形態小型バッグ部には吊り下げ帯部が具備され、該吊り下げ帯部は前記折り畳みバッグ部の手提げ部に挿着自在としてなることを特徴とする携帯バッグセット、である（特許文献１）。
【０００４】
この第１の公知技術に係る形態バッグセットによれば、携帯バッグセットの折り畳みバッグ部を広げて通常のトートバッグ等の肩掛けバッグとして使用する際に、この折り畳みバッグ部を収納するための携帯小型バッグ部を肩掛けバッグとした前記折り畳みバッグ部の手提げ部に挿着することができ、その携帯小型バッグ部を補助バッグ又は副バッグとして使用することができ、携帯小型バッグ部を有効に使用することができる、というものである。
【０００５】
第２の公知技術としては、横長の袋状をしており、短手方向の前後面に一対の把手が形成された把手付きバッグ本体と、前記把手付きバッグ本体の長手方向の左右端部に形成された一対の第一取付金具と、前記把手付きバッグ本体の後面における上側中央位置および下側左右対称位置に形成された複数の第二取付金具と、を有する把手付きバッグと、前記把手付きバッグの前記第一取付金具および前記第二取付金具に着脱可能に形成され、前記一対の第１の送電コイルと、前記一対の第一取付金具に取付けると肩掛けバッグの肩掛け部となり、前記複数の第二取付金具に取り付けると背負うバッグの背負い部とベルトと、を備える多機能バッグであって、前記把手付きバッグには、前記把手付きバッグよりも小さい蓋つき小型バッグが着脱可能に保持されていることを特徴とする多機能バッグ、である（特許文献２）。
【０００６】
この第２の公知技術に係る多機能バッグによれば、把手付きバッグに蓋つき小型バッグを着脱可能に保持することで、収納物の大きさに応じて把手付きバッグおよび蓋つき小型バッグを使い分けて、使い勝手を向上させることができる多機能バッグを提供することができる、というものである。
【０００７】
第３の公知技術としては、肩掛けベルトの一端を一体的に止着した一つのバッグ体と、上記の肩掛けベルトの自由端に取付けた掛具を連結可能な受具を取付けた他のバッグ体と、上記の両方のバッグ体にそれぞれ設けたベルト通し環に挿通される胴巻きベルトとを備えたことを特徴とする肩掛けバック、である（特許文献３）。
【０００８】
第３の公知技術に係る肩掛けバッグは、二つのバッグ体が肩掛けベルトを介して接続されるので、この二つのバッグ体を両肩により分担することができ、また、一方の肩で負担する場合でも肩の前後にそれぞれバッグ体を配することができるので、荷重がバランスよく分配されて形が疲れにくくなる。また、肩掛けベルトを肩に掛けるのに加えて、胴巻きベルトによって腰に固定できるので、歩行時等にバッグ体が揺れにくくなり、肩掛けベルトが肩から外れて落ちにくくなる、というものである。
【先行技術文献】
【特許文献】
【０００９】
【特許文献１】実用新案登録第３１０２２７４号公報
【特許文献２】実用新案登録第３２０２１２１号公報
【特許文献３】実開平４−１２０６１８号公報
【発明の開示】
【発明が解決しようとする課題】
【００１０】
前記公知例に係る第１と第２の従来技術においては、いずれもバッグの深さ方向に沿って仕切りを設けたものであり、バッグの深さを利用して携帯電話や財布、ハンカチ等の私物やペットボトルまたはペンライト等を入れることはできるが、仕切に沿って大物・小物をある程度整理して上下方向に収納するが、ライブ会場に到着する間に、電車またはバスに乗り降りする際に財布を出し入れしたり、交通の定期券（スイカを含む）を出し入れしたり、または、ハンカチを出し入れしたりすると、上下方向の整理が乱れる恐れがあり、ライブ用のチケットが紛れたりして、探し出すのに苦労することが多々あると聞いている。
【００１１】
さらに、前記第３の公知例の肩掛けバッグは、バッグ体のサイドに縦方向に開閉用のチャックが付いている例が図示されているが、明細書中ではそのことについて説明がなされていない。しかしながら、バッグ体のサイドであっても、中の仕切りが全く不明であるから、前記従来例と同様に収納した物が乱れる点であまり変わらないものと認められる。但し、肩掛けベルトで前後に位置する両バッグ体が胴巻きベルトによって腰に固定できる構成である点で評価できる。
【００１２】
本発明の主たる目的は、小型軽量でありながら、収納した物が乱れないようにすると共に、チケット等の薄くて小径の物が一目で解るように収納でき、且つ、大きい（長い）物は底部側に出し入れ可能に収納できるライブ用のバックを提供することである。
【課題を解決するための手段】
【００１３】
本発明は、前記課題を解決する具体的手段として、ショルダーベルトが着脱可能に取り付けられた収納バッグ本体部の開口部にファスナーが取り付けられたバッグであって、前記収納バッグ本体部には、上部側の収納部と底部側の収納部とからなる二重底に形成され、上部側の収納部には、長さ方向の中央部に仕切りを兼ねた長方形で上縁部にファスナーが取り付けられた袋体が配設されると共に、少なくとも、透明な樹脂シート又はフィルムで囲われた収納スペースが設けられ、前記底部側の収納部は、短辺側面から底部の略中間位置に至るファスナーを開閉して収納品を出し入れできるように構成したことを特徴とするライブ用のバッグを提供するものである。
【００１４】
本願発明においては、前記収納バッグ本体部の一側面には、デルタ状で幅広の補助部材を備えたウエストベルトが折り畳んで収納できるように設けられていること；及び前記収納バッグ本体部の短辺における一側面には、ペンライトが収納できる一対の筒状収納部が設けられていること；を付加的な要件として含むものである。
【発明の効果】
【００１５】
本発明に係るライブ用のバッグによれば、前記収納バッグ本体部には、上部側の収納部と底部側の収納部とからなる二重底に形成され、上部側の収納部には、少なくとも、透明な樹脂シート又はフィルムで囲われた収納スペースが設けられているので、該収納スペースに入場券、ドリンクチケットやコイン等を入れておくことによって、他の収納物品と混じり合うことがなく、上部側の収納部のファスナーを開けば、直ぐに見つけ出すことができるという優れた効果を奏する。
【００１６】
さらに、前記収納バッグ本体部の一側面には、デルタ状で幅広の補助部材を備えたウエストベルトが折り畳んで収納できるように設けられていることによって、飛んだり跳ねたりする際には、ウエストベルトを取り出して腰に巻きさえすれば、バッグが身体に密着して離れないし、それが終われば直ちに折り畳んで収納することができので、煩わしさがないという優れた効果を奏する。
【図面の簡単な説明】
【００１７】
【図１】本発明の好ましい実施の形態に係るライブ用のバッグを示した斜視図である。
【図２】同実施の形態に係るライブ用のバッグの収納バッグ本体部における上部側の収納部のチャックを開いて内部を略示的に示した平面図である。
【図３】図２のＡ−Ａ線に沿う断面を略示的に示した説明図である。
【図４】同実施の形態に係るライブ用のバッグの収納バッグ本体部における他の側面を示した側面図である。
【図５】同実施の形態に係るライブ用のバッグの収納バッグ本体部の他の側面からウエストベルトを取り出した状態を略示的に示した斜視図である。
【発明を実施するための形態】
【００１８】
本発明を図示の実施の形態に基づいて説明する。まず、全体を示す図１において、本発明に係るライブ用のバッグ１は、横長に形成された収納バッグ本体部２と、該収納バッグ本体部２の短辺の両サイド間における上端部に、係止具３，４を介して長さが調整できるショルダーベルト５が着脱可能に取り付けられた構成を有するものである。なお、収納バッグ本体部２には、開口部にファスナー６が設けられると共に、片手で持てるように取手部７が取り付けられている。
【００１９】
前記収納バッグ本体部２としては、要するに、ファスナー６で開口する上部側の収納部を上げ底にし、底部側の収納部は短辺側面から底部の略中間位置に至るファスナー８で開閉できるように構成されており、例えば、ペットボトルや折り畳み傘等が適宜収納できるように二重底になっており、収納バッグ２の高さ（収納深さ）に対して、上部側の収納部と底部側の収納部とは略２：１の割合で形成される。そして、ファスナー８が設けられていない側の短辺の側面には、例えば、ペンライトが収納できる一対の筒状収納部９が設けられている。
【００２０】
さらに、前記収納バッグ本体部２の構成については、図２、図３に示したように、要するに、外袋１０と内袋１１とから構成され、該外袋１０と内袋１１とは、上端部近傍で全周に亘って逢着１２されて一体化され、内袋１１の開口部には前記したようにファスナー６が取り付けられて上部側の収納部１３が形成され、該収納部１３には、長さ方向の中央部に仕切りを兼ねた長方形の袋体１４が配設され、該袋体１４の両端部は短辺側の側壁に逢着されて宙ぶらりんの状態に配設され、上縁部にファスナー１５が取り付けられて袋体１４内に、例えば、口紅等の小物の化粧品や印鑑等が適宜に収納できる。
【００２１】
また、上部側の収納部１３の一方の側面には、硬質・薄手で長方形の板状の透明な樹脂シート又はフィルム１６で囲われた収納スペース、つまり、樹脂シート又はフィルムの両側面と底部側が内袋１１に取り付けられ、上端縁は布１７で囲って開口状態に取り付けられ、内袋１１に設けられた舌状係止部材１８によって、開口部は常時は閉止状態に維持されており、内部には、例えば、入場券、ドリンクチケットやコイン等、またはメモ書き等の紙片が収納できるスペースであり、ファスナー６を開けて上部側の収納部１３を開ければ透明な樹脂シート又はフィルムを通して一目で判るようになっている。反対側の側面には、長方形の布部材１９の両側面と底部側が内袋１１に逢着され、上端部は開口状態に取り付けられ、好ましくは、中間位置を逢着して二つのポケット２０、２１を形成し、例えば、種々のカード類等が収納できるスペースである。
【００２２】
そして、上部側の収納部１３には、中央部に設けられた仕切りを兼ねた長方形の袋体１４の両側に、例えば、財布２２や携帯電話２３と前後に並べてハンカチ２４等が収納できるのであり、また、外袋１０で形成される底部側の収納部２５には、例えば、ペットボトル２６や折り畳み傘２７又は必要があればペンライト等が収納できる。いずれにしても、上部側及び底部側の収納部１３、２５には、それぞれ区分けして必要な物品が整然と収納できるように構成されている。
【００２３】
さらに、図４、図５に示したように、屋内外のライブ会場では、飛んだり跳ねたりの激しく動いたりすることがあるので、バッグ１の一方の側面の両端部側に、長さが調整できるウエストベルト２８が設けられ、該ウエストベルト２８の基部側にデルタ状で幅広の補助部材２９が設けられ、先端部側にバックル等の雄雌の係止部材３０、３１が取り付けられている。そして、ウエストベルト２８を補助部材２９の内側に折り畳んで仕舞うことができるように、バッグ１の側面に、該側面と略同じ大きさの長方形の布の上下端を一体的に逢着し、バッグ本体の側面に、両側が開口する収納部３２が設けられている。
【００２４】
このようにウエストベルト２８が取り付けられた側面を内側にして、例えば、左肩にショルダーベルト５を掛けた状態でも、または、ショルダーベルト５を取り外した状態でも、ウエストベルト２８を引き出して腰回りに巻き、係止部材３０、３１を係合させることにより、補助部材２９がお腹側と背中側とに当接し、面積が広い分摩擦係合が大きくなるので、飛んだり跳ねたりしてもバッグ１がフラフラせず安定して密着しており、バッグ１が身体から外れたりすることはないのである。
【００２５】
そして、飛んだり跳ねたりが終わった後においては、ウエストベルト２８を折り畳んで、元通りに収納部３２に収めることで、肩掛け式のライブ用のバック１になるのである。なお、ショルダーベルト５を外せば、図４に示したように、手提げバッグ１として持ち歩くことができるのである。
【産業上の利用可能性】
【００２６】
いずれにしても本発明に係るライブ用のバッグ１は、ショルダーベルト５が着脱可能に取り付けられた収納バッグ本体部２の開口部にファスナー６が取り付けられたバッグであって、前記収納バッグ本体部２には、上部側の収納部１３と底部側の収納部２５とからなる二重底に形成され、上部側の収納部１３には、長さ方向の中央部に仕切りを兼ねた長方形で上縁部にファスナー１５が取り付けられた袋体１４が配設されると共に、少なくとも、透明な樹脂シート又はフィルム１６で囲われた収納スペースが設けられ、前記底部側の収納部２５は、短辺側面から底部の略中間位置に至るファスナー８を開閉して収納品を出し入れできるように構成したものであり、さらに、前記収納バッグ本体部２の一側面には、デルタ状で幅広の補助部材２９を備えたウエストベルト２８が折り畳んで収納できるように設けられている構成であって、前記透明な樹脂シート又はフィルム１６で囲われた収納スペースに入場券、ドリンクチケットやコイン等を入れておくことによって、他の収納物品と混じり合うことがなく、上部側の収納部１３のファスナー６を開けば、直ぐに見つけ出すことができるとばかりでなく、飛んだり跳ねたりする際には、ウエストベルト２８を取り出して腰に巻きさえすれば、バッグ１が身体に密着して離れないし、それが終われば直ちに折り畳んで収納することができので、ライブ用だけでなく、例えば、ハイキング用等種々の機会や場所において広く利用できるのである。
【符号の説明】
【００２７】
１  バッグ  
２  収納バッグ本体部
３，４  係止具
５  ショルダーベルト
６，８，１５ファスナー
７  取手部
９  筒状収納部
１０  外袋
１１  内袋
１２  逢着
１３  上部側の収納部
１４  袋体
１６  透明な樹脂シート又はフィルム
１７  布
１８  舌状係止部材
１９  布部材
２０、２１  ポケット
２２  財布
２３  携帯電話
２４  ハンカチ
２５  底部側の収納部
２６  ペットボトル
２７  折り畳み傘
２８  ウエストベルト
２９  補助部材
３０、３１  係止部材
３２  収納部
【図１】
2019165841.tif 000003
【図２】
2019165841.tif 000004
【図３】
2019165841.tif 000005
【図４】
2019165841.tif 000006
【図５】
2019165841.tif 000007